(57)【要約】【課題】硬性内視鏡の挿入部の先端に設けられた観察窓を洗浄するための流体を流す管路を挿入部の太径化を招くこと無く具備することができ、かつ、その管路の洗浄も不要にし、または、容易に行うことができる硬性内視鏡を提供することを目的とする。【解決手段】硬性内視鏡１０の内視鏡本体４０に送気・送液チューブ２００が着脱可能に装着される。送気・送液チューブ２００は内視鏡本体４０の挿入部４４の先端に設けられた観察窓を洗浄するための洗浄液及びガスを流通させる管路を形成し、主として、挿入部４４に形成された管路用溝８６に嵌合されて装着される。【選択図】図５
2012187138.tif 000002
【特許請求の範囲】
【請求項１】
体内に挿入される挿入部と、該挿入部の先端面に配置された該先端面の観察窓へ流体を噴射する流体噴射部と、該流体噴射部に連通され前記挿入部に流体を供給する流体供給管路と、を有する硬性内視鏡であって、
前記挿入部の外周面に該挿入部の長手方向に沿って形成された管路用溝と、
前記管路用溝に着脱可能に装着され、前記流体供給管路の少なくとも一部を構成する装着部材と、
を備えたことを特徴とする硬性内視鏡。
【請求項２】
前記装着部材は、前記挿入部の外周面が倣う円筒面に略沿った面を前記管路用溝の開口に形成することを特徴とする請求項１の硬性内視鏡。
【請求項３】
前記流体噴射部は、前記挿入部に着脱可能に装着されると共に、前記装着部材の先端に装着されていることを特徴とする請求項１、又は、２の硬性内視鏡。
【請求項４】
前記装着部材は、前記管路を内部に備えたチューブ体であることを特徴とする請求項１、２、又は、３の硬性内視鏡。
【請求項５】
前記チューブ体は、前記管路用溝の内部に嵌合されて外周面が前記管路用溝の壁面に密着することによって前記管路用溝に装着されることを特徴とする請求項４の硬性内視鏡。
【請求項６】
前記チューブ体は、前記流体供給管路として洗浄液を流す管路とガスを流す管路とを備えたことを特徴とする請求項４、又は、５の硬性内視鏡。
【請求項７】
前記装着部材は、前記管路用溝の開口を塞ぐ蓋体であって、該蓋体と前記管路用溝の壁面とで囲まれた管腔により前記流体供給管路を形成すること特徴とする請求項１、２、又は、３の硬性内視鏡。
【請求項８】
前記蓋体は、周方向の両側の縁部が長手方向に沿って前記管路用溝の両側の側壁面に密着することによって前記管路用溝に装着されることを特徴とする請求項７の硬性内視鏡。
【請求項９】
前記蓋体は、前記管路用溝の開口部分に配置される蓋部と、該蓋部に立設されて前記管路用溝の底面に端部が当接する分離部とを有し、該分離部により前記流体供給管路として洗浄液を流す管路とガスを流す管路とを形成することを特徴とする請求項７、又は、８の硬性内視鏡。
【発明の詳細な説明】
【技術分野】
【０００１】
本発明は硬性内視鏡に係り、特に挿入部の先端に配置された観察窓の洗浄を行う洗浄機構を備えた硬性内視鏡に関する。
【背景技術】
【０００２】
内視鏡の挿入部（先端部）に撮像装置が搭載されているものでは、撮像装置に被写体光を取り込むための観察窓が挿入部の先端（先端面）に設けられている。挿入部を体腔内に挿入した際には、観察窓に体液その他の汚損物が付着し、又、曇りも発生することから、観察窓を適宜洗浄することが必要となる。
【０００３】
腹腔鏡下外科手術等に用いられる硬性内視鏡の場合は、管路の滅菌が容易でないことから、通常、観察窓を洗浄するための洗浄機構を具備していない。そのため、手術中に何度も体腔から引き抜いて観察窓を拭き取る作業が必要となっている。
【０００４】
従来の観察窓の洗浄機構として、軟性内視鏡の場合には、特許文献１、２のように、挿入部の内部を挿通する送気・送液管路と、挿入部の先端に取り付けられるキャップに設けられた噴射ノズルとを備え、送気・送液管路を通じて供給された洗浄液やガスを噴射ノズルから観察窓に向けて噴射するようにした洗浄機構が知られている。これによれば、噴射ノズルから観察窓に向けて洗浄液を噴射して観察窓の付着物を洗い流した後、観察窓に残存する洗浄液の液滴を吹き飛ばして乾燥させることによって観察窓の洗浄が行われる。
【０００５】
また、特許文献３、４には、特許文献１のような観察窓の洗浄機構を備えていない内視鏡に対して、挿入部に洗浄シースを被嵌し、洗浄シースに形成された送気・送液管路を通じて観察窓に洗浄液やガスを噴射し、観察窓の洗浄を行えるようにしたものが提案されている。
【０００６】
更に、特許文献５には、硬性内視鏡において、挿入部の外周面に、手元から先端部まで連通する凹溝状の水路を設け、その水路を通じて先端面の観察窓（対物レンズ）に洗浄水を流して観察窓に付着した付着物を洗い流すようにしたものが提案されている。
【先行技術文献】
【特許文献】
【０００７】
【特許文献１】特開平７−２５０８０６号公報
【特許文献２】特開平７−３１３４４０号公報
【特許文献３】特開２００９−１１２６４５号公報
【特許文献４】特開２００９−２４７５６６号公報
【特許文献５】特開２００１−２１８７２７号公報
【発明の概要】
【発明が解決しようとする課題】
【０００８】
特許文献１、２の洗浄機構は、噴射ノズルをキャップに設けることでキャップを取り外して送気・送液管路をブラッシング洗浄できるようにしたものであるが、硬性内視鏡においては管路をブラッシング洗浄するという行為自体を行わないため、特許文献１、２のように挿入部の内部に送気・送液管路を設けると洗浄不良となる恐れがある。また、硬性内視鏡は、挿入部が細く、挿入部内に送気・送液管路を設けると、管路を極めて細くしなくてはならず、洗浄に手間と労力を要するという問題がある。
【０００９】
また、硬性内視鏡において、上記の理由から、特許文献３、４のように、内視鏡自体には観察窓の洗浄機構を設けることなく、観察窓の洗浄機構を備えた洗浄シースを挿入部に被嵌させるようにする場合もあるが、挿入部の実質的な太さは、洗浄シースの厚みを加えた分だけ太くなるという問題もある。例えば、患者の腹壁等に穿刺されたトラカール（ガイド管）に挿入部を挿入して使用する硬性内視鏡においては、洗浄シースを挿入部に被嵌すると、細径用のトラカールを使用することができず、患者への負担が増加するという問題がある。
【００１０】
一方、特許文献５のように、挿入部の外周面に凹溝状の水路を設けた場合には、観察窓に洗浄水を垂れ流すだけであり、水圧を上げて観察窓に洗浄水を噴射することができず、観察窓の付着物を確実に洗い流すことが難しいという問題がある。また、水路が上向きの状態となるように挿入部の回転操作を行って洗浄水を供給しなければならず、所望部位の観察中にそのような回転操作を行うことは煩わしいという問題もある。特許文献５には挿入部の上下左右に複数の水路を設けることによって挿入部の回転操作を不要にすることが提案されているが、水路を多くするとその分、挿入部の太径化を招くという問題がある。
【００１１】
本発明は、このような事情に鑑みてなされたもので、硬性内視鏡の挿入部の先端に設けられた観察窓を洗浄するための流体を供給する管路を挿入部の太径化を招くこと無く具備することができ、かつ、その管路の洗浄を不要にし、又は、容易に行うことができる硬性内視鏡を提供することを目的とする。
【課題を解決するための手段】
【００１２】
前記目的を達成するために、請求項１に係る硬性内視鏡は、体内に挿入される挿入部と、該挿入部の先端面に配置された該先端面の観察窓へ流体を噴射する流体噴射部と、該流体噴射部に連通され前記挿入部に流体を供給する流体供給管路と、を有する硬性内視鏡であって、前記挿入部の外周面に該挿入部の長手方向に沿って形成された管路用溝と、前記管路用溝に着脱可能に装着され、前記流体供給管路の少なくとも一部を構成する装着部材と、を備えたことを特徴としている。
【００１３】
本発明によれば、挿入部の長手方向に管路用溝が形成され、その管路用溝に装着部材が着脱可能に装着されることによって、挿入部を太径化することなく、観察窓を洗浄するための流体供給管路を具備することができる。また、その流体供給管路を形成するための装着部材が挿入部に対して着脱可能であるため、装着部材をディスポーザブル（使い捨て）とすることで、硬性内視鏡で必要な洗浄と滅菌（レベルの高い洗浄）を施術に使用した流体供給管路に対して不要にすることができる。したがって、本体管路の滅菌が不要であるため滅菌コストが安価になる。また、装着部材は成形部品などで構成できるため、安価に製造でき、ディスポーザブルとしてもコストの負担は大きなものとならない。装着部材を再使用する場合であっても、施術に使用した流体供給管路のレベルの高い洗浄が内視鏡本体とは別に行うことができる。そのため、内視鏡本体の部品（撮像装置等）の破損を考慮することなく、例えば、高温の洗浄液で洗浄することなどが可能であり、硬性内視鏡で要求されるレベルの高い洗浄が容易に行えるようになる。
【００１４】
請求項２に係る硬性内視鏡は、請求項１に係る発明において、前記装着部材は、前記挿入部の外周面が倣う円筒面に略沿った面を前記管路用溝の開口に形成することを特徴としている。
【００１５】
本発明によれば、管路用溝に装着部材を操作した場合に挿入部の外周面全体が略円筒面形状となるため、患者の腹壁等に穿刺されたトラカール（ガイド管）に挿入部を挿入する際に装着部材が邪魔になることはなく、また、挿入部をトラカールを介して体腔内に挿入させている際に体腔内を膨らませるために注入されたガスが、挿入部の外周面の凹凸による隙間から外部に流出するという不具合も生じない。
【００１６】
請求項３に係る硬性内視鏡は、請求項１、又は、２の発明において、前記流体噴射部は、前記挿入部に着脱可能に装着されると共に、前記装着部材の先端に装着されていることを特徴としている。
【００１７】
本発明によれば、観察窓に向けて流体を噴射する流体噴射部も管路を形成する装着部材と共に着脱可能に装着されるため、流体噴射部の洗浄も容易に行うことができる。
【００１８】
請求項４に係る硬性内視鏡は、請求項１、２、又は、３に係る発明において、前記装着部材は、前記管路を内部に備えたチューブ体であることを特徴としている。
【００１９】
本発明は、流体供給管路を内部に備えたチューブ体を挿入部の管路用溝に装着することによって、流体供給管路を形成するようにした態様を示す。
【００２０】
請求項５に係る硬性内視鏡は、請求項４に係る発明において、前記チューブ体は、前記管路用溝の内部に嵌合されて外周面が前記管路用溝の壁面に密着することによって前記管路用溝に装着されることを特徴としている。
【００２１】
本発明は、挿入部の管路用溝にチューブ体を着脱可能に装着するための構造の一形態を示し、これによって簡易な構造で管路用溝にチューブ体を装着することができる。
【００２２】
請求項６に係る硬性内視鏡は、請求項４、又は、５に係る発明において、前記チューブ体は、前記流体供給管路として洗浄液を流す管路とガスを流す管路とを備えたことを特徴としている。
【００２３】
本発明は、観察窓を洗浄するための流体として、洗浄液とガスとを用いると共に、それらの洗浄液とガスとを別の管路によって流体噴射部まで流す態様を示す。これによれば、例えば、観察窓に付着した付着物を洗浄液で洗い流した後、観察窓に残留する液滴をガスにより吹き飛ばして乾燥させることができる。
【００２４】
請求項７に係る硬性内視鏡は、請求項１、２、又は、３に係る発明において、前記装着部材は、前記管路用溝の開口を塞ぐ蓋体であって、該蓋体と前記管路用溝の壁面とで囲まれた管腔により前記流体供給管路を形成すること特徴としている。
【００２５】
本発明は、挿入部の管路用溝に蓋体を装着することによって、観察窓を洗浄するための流体を流す流体供給管路を形成するようにした態様を示し、チューブ体を管路用溝を装着する場合と異なり、管路用溝の壁面が流体供給管路の壁面を形成する。
【００２６】
請求項８に係る硬性内視鏡は、請求項７に係る発明において、前記蓋体は、周方向の両側の縁部が長手方向に沿って前記管路用溝の両側の側壁面に密着することによって前記管路用溝に装着されることを特徴としている。
【００２７】
本発明は、挿入部の管路用溝に蓋体を着脱可能に装着するための構造の一形態を示し、これによって簡易な構造で管路用溝に蓋体を装着することができる。
【００２８】
請求項９に係る硬性内視鏡は、請求項７、又は、８に係る発明において、前記蓋体は、前記管路用溝の開口部分に配置される蓋部と、該蓋部に立設されて前記管路用溝の底面に端部が当接する分離部とを有し、該分離部により前記流体供給管路として洗浄液を流す管路とガスを流す管路とを形成することを特徴としている。
【００２９】
本発明は、観察窓を洗浄するための流体として、洗浄液とガスとを用いると共に、それらの洗浄液とガスとを別の管路によって流体噴射部まで流す態様を示す。これによれば、例えば、観察窓に付着した付着物を洗浄液で洗い流した後、観察窓に残留する液滴をガスにより吹き飛ばして乾燥させることができる。
【発明の効果】
【００３０】
本発明によれば、硬性内視鏡の挿入部の先端に設けられた観察窓を洗浄するための流体を流す管路を挿入部の太径化を招くこと無く具備することができ、かつ、その管路の洗浄を不要にし、又は、容易に行うことができるようになる。
【図面の簡単な説明】
【００３１】
【図１】本発明が適用された硬性内視鏡を施術に使用する際に構築される内視鏡システムの一実施の形態を示した全体構成図
【図２】内視鏡本体の挿入部の先端面９２を示した斜視図
【図３】第１の実施の形態の硬性内視鏡の全体構成を示した上方斜視図
【図４】第１の実施の形態の硬性内視鏡の全体構成を示した下方斜視図
【図５】第１の実施の形態の硬性内視鏡における内視鏡本体から送気・送液チューブを取り外した状態を示した下方斜視図
【図６】第１の実施の形態の硬性内視鏡における長筒部を長手方向と直交する面で切断した横断面図であり、長筒部の管路用溝に送気・送液チューブのチューブ体を装着した状態を示した図
【図７】第１の実施の形態の硬性内視鏡における挿入部の先端部を拡大して示した下方斜視図
【図８】第１の実施の形態の硬性内視鏡における挿入部の先端部を長手方向と平行な面で切断した縦断面図
【図９】図８におけるＡ−Ａ矢視断面図
【図１０】第１の実施の形態の硬性内視鏡における送気・送液チューブを拡大して示した上方斜視図
【図１１】第１の実施の形態の硬性内視鏡における操作部の基端側装着部に送気・送液チューブの基端部を装着した状態を示した下方斜視図
【図１２】第１の実施の形態の硬性内視鏡における送気・送液チューブの先端部を拡大して示した上方斜視図
【図１３】第１の実施の形態の硬性内視鏡における挿入部の先端部を拡大して示した下方斜視図であり、送気・送液チューブの先端部を取り外した状態を示した図
【図１４】第２の実施の形態の硬性内視鏡の全体構成を示した下方斜視図であり、内視鏡本体から管路形成部材を取り外した状態を示した図
【図１５】第２の実施の形態の硬性内視鏡における管路形成部材のみを拡大して示した上方斜視図
【図１６】第２の実施の形態の硬性内視鏡における長筒部の横断面図であり、管路用溝に管路形成部材を装着した状態を示した図
【図１７】第２の実施の形態の硬性内視鏡における長筒部の基端近傍の横断面図であり、管路用溝に管路形成部材を装着した状態を示した図
【図１８】第２の実施の形態の硬性内視鏡における挿入部の先端部を長手方向と平行な面で切断した縦断面図
【図１９】第２の実施の形態の硬性内視鏡における長筒部の横断面図であり、管路用溝に装着した管路形成部材（蓋体）にゴムを一体成形した態様を示した図
【図２０】硬性内視鏡における長筒部を長手方向と直交する面で切断した横断面図であり、図６と異なる形状の長筒部の管路用溝に送気・送液チューブのチューブ体を装着した状態を示した図
【図２１】送気・送液チューブの基端側を固定する押さえ板の他の実施の形態を示した図４に対応する下方斜視図
【発明を実施するための形態】
【００３２】
以下、添付図面に従って本発明に係る硬性内視鏡の好ましい実施の形態について詳説する。
【００３３】
図１は、本発明が適用された硬性内視鏡を施術に使用する際に構築される内視鏡システムの一実施の形態を示した全体構成図である。
【００３４】
同図の内視鏡システムは、硬性内視鏡１０と、プロセッサ装置１２と、光源装置１４と、送気・送液装置１６と、モニタ１８とから構成されている。
【００３５】
硬性内視鏡１０は、詳細は後述するが、施術者が把持する操作部４２と、患者の腹壁等に穿刺されたトラカールから体腔内に挿入される挿入部４４を備えており、挿入部４４の先端には撮像装置１００（後掲）が具備されている。図２のように挿入部４４の先端面９２には、観察窓９４が配備されており、この観察窓９４から観察される体腔内の画像が撮像装置１００により撮像されるようになっている。また、挿入部４４の先端面９２には図２のように観察窓９４の他に照明光を出射する照明窓９６、９８や観察窓９４を洗浄するための洗浄液及びガスを観察窓９４に向けて噴射する噴射ノズル１１２（噴射口２１８）が配備されている。
【００３６】
操作部４２には、撮像装置１００により撮像された画像の記録を指示する記録ボタン５０、噴射ノズル１１２から洗浄液を噴射させる送液ボタン５２、噴射ノズル１１２からガスを噴射させる送気ボタン５４などの操作ボタンが設けられている。
【００３７】
プロセッサ装置１２は、システム全体を統括制御する装置であり、ユニバーサルコード２０、ユニバーサルコード２０の端部に接続されたＬＧコネクタ２２、ＬＧコネクタ２２から延出された信号ケーブル２４、及び、信号ケーブル２４の端部に接続された電気コネクタ２６を介して硬性内視鏡１０に接続されている。また、プロセッサ装置１２は、光源装置１４、送気・送液装置１６、モニタ１８にも図示しないケーブルにより接続されている。これにより、プロセッサ装置１２と、他の装置との間で電気的な信号のやり取りが行えるようになっている。
【００３８】
このプロセッサ装置１２から硬性内視鏡１０には、硬性内視鏡１０に搭載された撮像装置１００を動作させるための電力や制御信号が与えられる。一方、硬性内視鏡１０からプロセッサ装置１２には、硬性内視鏡１０の撮像装置１００により撮像された画像の画像信号が伝送され、プロセッサ装置１２内で所定の画像処理が施されてモニタ１８にその画像が表示される。これにより、硬性内視鏡１０の観察窓９４から観察される体腔内の画像を施術者等がモニタ１８で観察することができるようになっている。また、硬性内視鏡１０に設けられた各種操作ボタンの操作状態（オン／オフ状態）を示す状態信号がプロセッサ装置１２に与えられ、操作ボタンの操作状態に従ってそれに対応する処理がプロセッサ装置１２により実行されるようになっている。記録ボタン５０が押された場合には、そのとき硬性内視鏡１０の撮像装置１００により撮影されてプロセッサ装置１２に取り込まれた画像信号が所定の記録媒体に記録保存される。
【００３９】
光源装置１４は、硬性内視鏡１０の照明窓９６、９８（図２参照）から出射する照明光を発生させる装置であり、ユニバーサルコード２０及びＬＧコネクタ２２を介して硬性内視鏡１０と接続され、ユニバーサルコード２０及びＬＧコネクタ２２内に挿通配備されたライトガイドにより硬性内視鏡１０に光学的に接続されている。光源装置１４により発生した照明光はそのライトガイドを通じて硬性内視鏡１０に供給され、硬性内視鏡１０の照明窓９６、９８からその照明光が出射されるようになっている。これにより、撮像装置１００により観察窓９４から観察される観察範囲が明るく照明される。
【００４０】
送気・送液装置１６は、硬性内視鏡１０の噴射ノズル１１２から観察窓９４に噴射する洗浄液及びガスをポンプにより送出する装置であり、送液チューブ２８及び送気チューブ３０を介して硬性内視鏡１０に接続されている。送気・送液装置１６により送出された洗浄液及びガスは、送液チューブ２８を介して硬性内視鏡１０に供給されて噴射ノズル１１２から噴射され、送気・送液装置１６により送出されたガスは、送気チューブ３０を介して硬性内視鏡１０に供給されて噴射ノズル１１２から噴射されるようになっている。
【００４１】
また、送気・送液装置１６は、プロセッサ装置１２からの制御信号に従って、硬性内視鏡１０への洗浄液とガスの各々の供給の開始と停止が切り替えられるようになっており、プロセッサ装置１２は、硬性内視鏡１０の送液ボタン５２が押されたことを検知すると、送液ボタン５２が押されている間、送気・送液装置１６から硬性内視鏡１０に洗浄液を供給させて噴射ノズル１１２から洗浄液を観察窓９４に向けて噴射させる。硬性内視鏡１０の送気ボタン５４が押されたことを検知した場合には、送気ボタン５４が押されている間、送気・送液装置１６から硬性内視鏡１０にガスを供給させ、噴射ノズル１１２から観察窓９４に向けてガスを噴射させる。これにより、施術者は、観察窓９４を洗浄する際には、送液ボタン５２を押して噴射ノズル１１２から洗浄液を噴射させることにより、観察窓９４の付着物を洗い流すことができる。そして、その後、送気ボタン５４を押して観察窓９４にガスを噴射させることによって、観察窓９４に残留する洗浄液の液滴を吹き飛ばして乾燥させることができ、観察窓９４を清浄状態にすることができる。
【００４２】
なお、送気・送液装置１６から供給する洗浄液として例えば水が用いられ、送気・送液装置１６から供給するガスとして例えばＣＯ２ガスが用いられる。また、送液ボタン５２及び送気ボタン５４の押下操作を、電気スイッチとしてプロセッサ装置１２で検知するのではなく、送液ボタン５２及び送気ボタン５４を機械式ボタンとし、これらに連動して開閉する機械式の弁を送液用の管路（後述の送液管７０）と送気用の管路（後述の送気管７２）に設けると共に、送気・送液装置１６からの洗浄液及びガスの供給圧をそれらの管路に常時与えておくようにしてもよい。
【００４３】
次に、上記硬性内視鏡１０の第１の実施の形態の構成について詳説する。図３及び図４は各々、第１の実施の形態の硬性内視鏡１０の全体構成を示した上方斜視図及び下方斜視図である。
【００４４】
図３及び図４に示す硬性内視鏡１０は、施術者が把持する上記操作部４２と患者の体腔内に挿入される上記挿入部４４とからなる内視鏡本体４０と、内視鏡本体４０に対して着脱可能に装着される送気・送液チューブ２００とから構成されている。
【００４５】
詳細は後述するが、送気・送液チューブ２００は、図１の送気・送液装置１６から供給された観察窓９４を洗浄するための洗浄液及びガスを挿入部４４の先端面９２まで流通させて噴射ノズル１１２から噴射させるための管路を形成するものであり、図５に示すように、内視鏡本体４０から取り外すことができるようになっている。図３及び図４では、送気・送液チューブ２００が内視鏡本体４０に装着されている状態が示されている。
【００４６】
まず、内視鏡本体４０の構成について説明する。
【００４７】
内視鏡本体４０の操作部４２は、施術者が把持する把持部を有する内部が空洞の枠体５６を有し、その枠体５６は、前側及び後側が開口した円筒形状を基調とする枠体本体５８と、枠体本体５８の前側及び後側に固着されて枠体本体５８の前側開口及び後側開口を閉塞する板状の前側閉塞部材６０及び後側閉塞部材６２とから構成されている。
【００４８】
枠体本体５８の外周面の前側には、施術者が把持した手の指で押下操作する自動復帰式の各種操作ボタンが設けられている。操作ボタンとして上記の記録ボタン５０、送液ボタン５２、送気ボタン５４が配設されている。これらの操作ボタンの操作状態を検出し、操作状態を示す信号を送出する検出回路は枠体５６内に収容配置され、また、図１のようにプロセッサ装置１２と硬性内視鏡１０との間を接続するユニバーサルコード２０内の所定の信号線と、検出回路とが枠体５６内で接続されており、検出回路から送出された状態信号がプロセッサ装置１２に伝送されるようになっている。なお、上記のように送液ボタン５２及び送気ボタン５４を機械式ボタンとし、これらに連動して開閉する機械式の弁を送液用の管路（後述の送液管７０）と送気用の管路（後述の送気管７２）に設けると共に、送気・送液装置１６からの洗浄液及びガスの供給圧をそれらの管路に常時与えておくようにしてもよく、その場合には、送液ボタン５２及び送気ボタン５４の操作状態を電気的に検出してその信号をプロセッサ装置１２に送信することは不要である。
【００４９】
枠体本体５８の操作ボタンが配設された位置と反対側には、詳細を後述する基端側装着部６４が設けられている。この基端側装着部６４により、送気・送液チューブ２００の基端側（図５に示す送気・送液チューブ２００の基端部２０４）が着脱可能に装着されるようになっている。
【００５０】
枠体５６の前側閉塞部材６０には、挿入部４４の基端が固着されており、これによって操作部４２と挿入部４４とが一体の装置として構成されている。
【００５１】
枠体５６の後側閉塞部材６２には、プロセッサ装置１２からのユニバーサルコード２０が接続されるコネクタ（図示せず）が設けられると共に、図１のように送気・送液装置１６からの送液チューブ２８及び送気チューブ３０の各々が装着される送液管端部６６（送液口金）及び送気管端部６８（送気口金）が突出配置されている。なお、ユニバーサルコード２０は、コネクタにより操作部４２に着脱可能としたものではなく、操作部４２から着脱不能に延出されているものであってもよい。
【００５２】
送液管端部６６及び送気管端部６８は各々、図５に示すように枠体５６内に配設される送液管７０及び送気管７２と連設されており、それらの送液管７０及び送気管７２の他方の端部は、枠体本体５８の基端側装着部６４において送液管端部７４及び送気管端部７６として突出配置されている。したがって、送気・送液装置１６から送液チューブ２８及び送気チューブ３０を介して供給された洗浄液及びガスは、各々、後側閉塞部材６２の送液管端部６６及び送気管端部６８から送入されて、枠体５６内の送液管７０及び送気管７２の管路を流れて基端側装着部６４の送液管端部７４及び送気管端部７６から送出されるようになっている。図３及び図４のように基端側装着部６４に送気・送液チューブ２００の基端部２０４を装着した状態にすると、基端側装着部６４の送液管端部７４及び送気管端部７６と送気・送液チューブ２００の基端部２０４とが連結され、基端側装着部６４の送液管端部７４及び送気管端部７６の各々から送出された洗浄液及びガスが、送気・送液チューブ２００内の管路に送入されるようになっている。
【００５３】
内視鏡本体４０の挿入部４４は、長筒部８０と先端部８２とから構成されている。
【００５４】
長筒部８０は、図６の横断面図（挿入部４４の長手方向に直交する断面）に示すように円筒形状を基調とする内部が空洞の硬質のパイプ８４により構成されている。この長筒部８０の基端側は、操作部４２の枠体５６の前面（前側閉塞部材６０）に固着され、長筒部８０の内部の空洞と操作部４２（枠体５６）の内部の空洞とが連通されている。
【００５５】
また、長筒部８０には、図５及び図６のように詳細を後述する管路用溝８６が長筒部８０の長手方向に沿って形成されており、その管路用溝８６に送気・送液チューブ２００のチューブ体２０２（端部以外の部分を構成するチューブ）が図４のように嵌合されて装着されるようになっている。なお、管路用溝８６は、先端部８２にも連設されており、挿入部４４の基端から先端までの略全範囲に渡って形成されている。
【００５６】
挿入部４４の先端部８２は、長筒部８０の先端側に連結され、挿入部４４の先端面９２及びその周辺部を構成している。図７は、先端部８２を拡大して示した下方斜視図であり、図８は、挿入部４４の長手方向に平行な面で先端部８２を切断した縦断面図である。図９は、図８におけるＡ−Ａ矢視断面図である。
【００５７】
これらの図７〜９、及び、図２に示すように先端部８２は、挿入部４４の先端面９２となる面を有する保持部材８８を有し、その保持部材８８は、長筒部８０（パイプ８４）の先端部に密接されると共に、外周面がパイプ８４と共に連結部材９０によって被覆されている。これによって、保持部材８８が長筒部８０の先端に固定されると共に長筒部８０の先端側の開口が保持部材８８によって密閉されている。なお、連結部材９０は管路用溝８６に沿った位置に隙間を有しており、管路用溝８６の開口を被覆しない形状となっている。
【００５８】
保持部材８８には、挿入部４４としての先端面９２となる位置に上記の観察窓９４及び照明窓９６、９８が固持されると共に、撮像装置１００（カメラヘッドアセンブリ）やライトガイドの出射端（図示せず）が保持されている。
【００５９】
観察窓９４は、撮像装置１００の光学系の最前段に配置されるレンズを兼ねており、撮像装置１００の一部として保持部材８８に保持されている。
【００６０】
撮像装置１００は、図８に示すように観察窓９４と、レンズ１０２、１０４と、プリズム１０６と、撮像素子１０８（ＣＣＤ、ＣＭＯＳ等）等を備えており、撮像素子１０８は、図中上向きに受光面を向けて配置されている。これによって、観察窓９４から入射した被写体光がレンズ１０２、１０４を通過した後、プリズム１０６で略直角に反射されて撮像素子１０８の受光面に入射し、観察窓９４から観察される画像が撮像素子１０８により撮像されるようになっている。図では省略するが、撮像装置１００に接続される各種信号線（図示せず）は、長筒部８０内の空洞及び操作部４２の枠体５６内の空洞を挿通し、操作部４２に接続されるユニバーサルコード２０内の信号線と直接又は中継回路を介して接続されている。これにより、プロセッサ装置１２から撮像装置１００への制御信号や撮像装置１００からプロセッサ装置１２への画像信号等の伝送が行われるようになっている。
【００６１】
照明窓９６、９８は、図２、図７のように観察窓９４を挟んで２箇所に位置に配置されており、それらの背後には、各々、図９に示されているライトガイド１１４、１１６の出射端が保持部材８８によって保持されている。それらのライトガイド１１４、１１６は、長筒部８０内の空洞及び操作部４２の枠体５６内の空洞を挿通して操作部４２に接続されたユニバーサルコード２０内のライトガイドと連通されている。これにより、図１の光源装置１４からライトガイドを通じて供給される照明光が照明窓９６、９８の背後のライトガイドの出射端から出射され、照明窓９６、９８を介して撮像装置１００による観察範囲に照射されるようになっている。
【００６２】
また、挿入部４４の先端部８２には、図７、図８のように詳細を後述する先端側装着部１１０が設けられている。この先端側装着部１１０により、図２、図７、図８のように送気・送液チューブ２００の先端部２０６が挿入部４４の先端部８２に装着されるようになっている。また、挿入部４４の先端面９２に配置される噴射ノズル１１２は、送気・送液チューブ２００の先端部２０６により形成されている。
【００６３】
次に、内視鏡本体４０に対して着脱可能な送気・送液チューブ２００の構成と共に、送気・送液チューブ２００を装着する内視鏡本体４０側の管路用溝８６、基端側装着部６４、及び、先端側装着部１１０の構成について詳説する。
【００６４】
図１０は、図５に示されている送気・送液チューブ２００のみを拡大して示した上方斜視図である。同図に示すように、送気・送液チューブ２００は、チューブ体２０２、基端部２０４、及び、先端部２０６とから構成されている。
【００６５】
チューブ体２０２は、可撓性を有する材料で長手状に一体形成されており、チューブ体２０２の先端から基端側の一部を除く位置まで内視鏡本体４０の挿入部４４に形成された管路用溝８６に嵌合（管路用溝８６の壁面に密着）されて装着されるようになっている。チューブ体２０２を装着した状態での長筒部８０の横断面図である図６にも示されているように、チューブ体２０２は外壁を形成する外壁部２１１と外壁部２１１内を中央で分離する分離部２１２とから形成されており、チューブ体２０２の内部には、チューブ体２０２の先端から基端まで貫通した２つの管腔２０８、２１０が中央の分離部２１２により分離されて平行に形成されている。２つの管腔２０８、２１０のうち、管腔２０８が洗浄液を流通させる送液管路となり、管腔２１０がガスを流通させる送気管路となる。
【００６６】
チューブ体２０２の外表面は、略円筒面形状に形成され、横方向断面において略円形をしており、管路用溝８６もチューブ体２０２の外表面と程一致する直径の円筒面に沿った壁面で囲まれた空間を形成している。また、図６のように管路用溝８６の開口の縁部８６Ａ、８６Ｂは、管路用溝８６の深さ方向の中央付近の最大の横幅Ｗ１（チューブ体２０２の略直径に一致）よりも開口の横幅Ｗ２を狭くする方向に突出されている。これによって、管路用溝８６の横幅Ｗ１に略一致するチューブ体２０２の最大の横幅よりも管路用溝８６の開口の横幅Ｗ２が狭く、かつ、管路用溝８６の壁面全体がチューブ体２０２に外表面に略密着する形状に形成されている。
【００６７】
したがって、チューブ体２０２を管路用溝８６から意図的に取り外す力を加えない限り、容易には外れないようになっている。また、チューブ体２０２を管路用溝８６に装着した場合に、管路用溝８６の開口部分にチューブ体２０２の外表面が配置され、挿入部４４の外周面全体が略円筒面となる。即ち、挿入部４４の外周面が倣う円筒面に略沿った面をチューブ体２０２の外表面が形成している。したがって、患者の腹壁等に穿刺されたトラカール（ガイド管）に挿入部４４を挿入する際にチューブ体２０２が邪魔になることはなく、また、挿入部４４をトラカールを介して体腔内に挿入させている際に体腔内を膨らませるために注入されたガスが、挿入部４４の外周面の凹凸による隙間から外部に流出するという不具合も生じないようになっている。
【００６８】
送気・送液チューブ２００の基端部２０４は、図１０のようにチューブ体２０２の基端側に接続されており、硬質の材料により形成され、略矩形状の外形を有している。そして、基端部２０４の上面２０４Ａにはチューブ体２０２の管腔２０８、２１０の各々に内部で連通する２つの連結穴２１４、２１６が形成されている。この基端部２０４は、図４及び図５に示されている操作部４２の基端側装着部６４に装着されるようになっている。
【００６９】
図５に示すように基端側装着部６４は、枠体５６に形成された平坦な装着面５６Ａを有し、その装着面５６Ａに送液管端部７４及び送気管端部７６が突出配置されている。送液管端部７４及び送気管端部７６は、上記のように枠体５６内の送液管７０及び送気管７２を介して枠体５６の後面（後側閉塞部材６２）に配置された送液管端部６６及び送気管端部６８に連通しており、送気・送液装置１６から供給された洗浄液及びガスが装着面５６Ａの送液管端部７４及び送気管端部７６から送出されるようになっている。
【００７０】
送気・送液チューブ２００の基端部２０４は、その上面２０４Ａに形成された２つの連結穴２１４、２１６に装着面５６Ａの送液管端部７４及び送気管端部７６を嵌入させることによって装着される。そして、装着面５６Ａの送液管端部７４と送気管端部７６から送出された洗浄液とガスが、基端部２０４内の管路を介して、各々、チューブ体２０２の管腔２０８（送液管路）と管腔２１０（送気管路）に流入する。
【００７１】
また、操作部４２の基端側装着部６４は、図５に示すように押さえ板１５０を備え、その押さえ板１５０の基端側の両横に２つの突片１５２、１５４が突設され、それら突片１５２、１５４の各々に係合孔１５２Ａ（不図示）、１５４Ａが形成されている。一方、枠体５６の装着面５６Ａには、２つの突片１５６、１５８が突設され、それらの突片１５６、１５８の各々に支持ピン（不図示）が外側に向けて突設されている。そして、装着面５６Ａの突片１５６、１５８の支持ピンが押さえ板１５０の突片１５２、１５４の係合孔１５２Ａ、１５４Ａに嵌入されている。これにより、押さえ板１５０が基端側を中心にして揺動可能に枠体５６に支持されている。上記のように送気・送液チューブ２００の基端部２０４を装着面５６Ａの送液管端部７４及び送気管端部７６に装着した後、押さえ板１５０の先端側を装着面５６Ａに近づける方向に移動させて図１１のように押さえ板１５０を装着面５６Ａに対して略平行な状態にすると、押さえ板１５０の先端側が装着面５６Ａから離れる方向への押さえ板１５０の揺動が規制されると共に、押さえ板１５０の上面が基端部２０４の下面に当接し、基端部２０４が装着面５６Ａ側に押し付けられた状態で固定されるようになっている。
【００７２】
これにより、基端部２０４の連結穴２１４、２１６が装着面５６Ａの送液管端部７４と送気管端部７６から外れることがなく、基端部２０４が基端側装着部６４から容易に離脱しないようになっている。
【００７３】
なお、基端側装着部６４から基端部２０４を取り外す際には、押さえ板１５０の先端側を強く引っ張ることによって押さえ板１５０の揺動方向の規制を解除することができる。また、押さえ板１５０が装着面５６Ａと略水平となる状態のときに、爪を係合させる機構、トグルクランプのようなトグル機構、カム機構等によって押さえ板１５０をロックするような機構を設けてもよいし、押さえ板１５０を装着面５６Ａに対して略水平な状態でネジ止め等で固定する機構やその状態で押さえ板１５０を覆って枠体５６に装着される蓋部材で押さえ板１５０を固定する機構を設けてよい。更に、押さえ板１５０の先端を装着面５６Ａに近づける方向に付勢する付勢手段を例えば押さえ板１５０の基端側に設けてもよい。また、押さえ板１５０を枠体５６に対して揺動可能に支持するのではなく、押さえ板１５０を枠体５６に対してネジ止めや爪の係合などによって着脱可能に装着されるものとし、装着面５６Ａ側に送気・送液チューブ２００の基端部２０４を押し付けた状態で枠体５６に装着されるようにしてもよい。
【００７４】
更に、押さえ板１５０の先端側には、チューブ押さえ板１６０が取り付けられている。図１１のように送気・送液チューブ２００の基端部２０４を基端側装着部６４に装着した後、又は、装着する前にチューブ体２０２は、挿入部４４の管路用溝８６に装着されるが、基端部２０４の位置から管路用溝８６に到達する位置までの範囲ではチューブ体２０２は管路用溝８６から外れた状態となっている。チューブ押さえ板１６０は、そのチューブ体２０２の管路用溝８６から外れている部分によってチューブ体２０２が管路用溝８６から意図せずに外れてしまう不具合を確実に防止し、また、挿入部４４の基端側の所定位置まで確実にチューブ体２０２が管路用溝８６に装着された状態となるようにチューブ体２０２の基端側を管路用溝８６に押し付けておくためのものである。
【００７５】
図５、図１１のように押さえ板１５０の先端側の両横には基端側と同様に２つの突片１６２、１６４が突設されると共に、それらの突片１６２、１６４の各々に係合孔１６２Ａ（不図示）、１６４Ａが形成されている。そして、これらの係合孔１６２Ａ、１６４Ａに、チューブ押さえ板１６０の基端側の両側側面に形成された係合ピン（不図示）が係合されている。これによって、チューブ押さえ板１６０は、基端側を中心にして揺動するようになっている。
【００７６】
チューブ押さえ板１６０の先端側を挿入部４４の長筒部８０に近づける方向に移動させ、チューブ押さえ板１６０に形成された凹部１６０Ａの先端を図３及び図４のように長筒部８０の管路用溝８６の周辺部分に当接させた状態にすると、チューブ押さえ板１６０の先端側が管路用溝８６から離れる方向への揺動が規制される。これによって、チューブ押さえ板１６０の先端（凹部１６０Ａの先端）によりチューブ体２０２が管路用溝８６に装着された状態で押し付けられるようになっている。
【００７７】
なお、チューブ押さえ板１６０の先端側を長筒部８０に当接した状態のときに、爪を係合させる機構、トグルクランプのようなトグル機構、カム機構等によってチューブ押さえ板１６０をロックするような機構を設けてもよいし、その状態でチューブ押さえ板１６０をネジ止めする機構や押さえ板１５０と共にチューブ押さえ板１６０を覆って枠体５６等に装着される蓋部材で押さえ板１５０及びチューブ押さえ板１６０を固定する機構を設けてよい。また、チューブ押さえ板１６０の先端を長筒部８０に近づける方向に付勢する付勢手段を例えばチューブ押さえ板１６０の基端側に設けてもよい。
【００７８】
また、チューブ押さえ板１６０は、押さえ板１５０に対して揺動可能ではなく固定されたものとし、図３、図４のように押さえ板１５０で送気・送液チューブ２００の基端部２０４を固定した状態で、チューブ押さえ板１６０がチューブ体２０２を管路用溝８６に押し付けた状態となるようにしてもよい。更に、チューブ押さえ板１６０は必ずしも設ける必要はない。
【００７９】
以上の操作部４２の基端側装着部６４に設置される押さえ板１５０の他の形態を図２１に示す。同図において図４と同一又は類似作用の構成要素には図４と同一符号を付して説明を省略する。図２１に示す押さえ板１５０は、上記実施の形態と同様に送気・送液チューブ２００の基端部２０４を装着面５６Ａ側に押し付けた状態で固定される。このときに押さえ板１５０の外周面が枠体５６の円筒面に沿う形状に形成されている。この押さえ板１５０は、基端側の両側側面に係合孔１５２Ａ（図示せず）、１５４Ａが形成されており、これらの係合孔１５２Ａ、１５４Ａに、上記実施の形態と同様に装着面５６Ａから突設された突片１５６、１５８（図４参照）の支持ピンが係合し、押さえ板１５０が基端側を中心にして揺動可能に枠体５６に支持されている。
【００８０】
また。押さえ板１５０の先端側には送気・送液チューブ２００のチューブ体２０２の基端側を管路用溝８６に押し付けておくためのチューブ押さえ板１６０が取り付けられている。このチューブ押さえ板１６０は、上記実施の形態と同様に基端側の両側側面に係合ピンを備え、それらの係合ピン（図示せず）が押さえ板１５０の両側側面に形成された係合孔１６２Ａ（図示せず）、１６４Ａに係合することによって、チューブ押さえ板１６０が押さえ板１５０に対して基端側を中心にして揺動可能に支持されている。
【００８１】
なお、図２１の押さえ板１５０は、枠体５６に対して着脱可能な蓋部材としてもよい。また、チューブ押さえ板１６０は押さえ板１５０に対して固定されたものであってもよいし、チューブ押さえ板１６０は無くてもよい。
【００８２】
送気・送液チューブ２００の先端部２０６は、図１０及び図１２の拡大図に示すようにチューブ体２０２の先端側に接続されており、硬質の材料により形成されて略矩形状の外形を有する。先端部２０６の上面２０６Ａにはチューブ体２０２の２つの管腔２０８（送液管路）及び管腔２１０（送気管路）に連通する噴射口２１８が形成されている。
【００８３】
また、先端部２０６の外周面には周辺部よりも突出した突条部２２０が上面２０６Ａ及び側面２０６Ｂ、２０６Ｃに渡って連設されている。この先端部２０６は、図７及び図８に示した挿入部４４の先端部８２の先端側装着部１１０に装着されるようになっている。図１３は、先端側装着部１１０から先端部２０６を取り外した状態を示した下方斜視図である。先端側装着部１１０は、挿入部４４の先端面９２を形成する上記の保持部材８８に形成されており、先端部２０６の上面２０６Ａ及び側面２０６Ｂ、２０６Ｃの外面形状に略一致した凹部１７０が形成されている。この凹部１７０には、先端部２０６の突条部２２０の形状に略一致した溝１７２も形成されている。また、保持部材８８には、長筒部８０に形成された管路用溝８６を凹部１７０に連通させる溝（管路用溝８６）も形成されている。
【００８４】
これによって、先端部２０６の突条部２２０を凹部１７０の溝１７２の位置に合わせた状態で先端部２０６を凹部１７０に押し込むと、図７、図８のように先端部２０６が凹部１７０に嵌合して装着されるようになっている。なお、チューブ体２０２は、凹部１７０に続く管路用溝８６に嵌合して装着される。
【００８５】
また、先端部２０６を先端側装着部１１０に装着すると、図２、図7及び図８のように先端部２０６の噴射口２１８が、挿入部４４（保持部材８８）の先端面９２よりも前側に突出配置されると共に、観察窓９４に向けて配置されるようになっている。これによって、挿入部４４の先端面９２に配置される上記の噴射ノズル１１２が先端部２０６の一部により形成されるようになっている。
【００８６】
先端部２０６を先端側装着部１１０から取り外す場合には、例えば、先端部２０６において挿入部４４の先端面９２よりも突出している部分と、管路用溝８６から先に取り外したチューブ体２０２の先端側とを同時に挿入部４４の径方向外側に引っ張ることによって、先端部２０６が嵌合されている保持部材８８の凹部１７０から先端部２０６を抜き取ることができる。
【００８７】
ここで、図８に示すように先端部２０６と接続されるチューブ体２０２の先端部分では、中央に形成される分離部２１２（図６参照）よりも外壁部２１１が前方に延設されており、先端部２０６は、その延設された外壁部２１１の内部に嵌入される基端嵌合部２２２と、図８の破線で示すように、基端嵌合部２２２から突設され、チューブ体２０２の２つの管腔２０８、２１０の各々に嵌入される２つの先端嵌合部２２４、２２６とを備えている。図９の横断面図には、チューブ体２０２の管腔２０８、２１０の各々に先端嵌合部２２４、２２６が嵌入されている様子が示されている。
【００８８】
基端嵌合部２２２は、先端嵌合部２２４、２２６の両方の管腔に連通された１つの管腔を有し、その基端嵌合部２２２の管腔は、噴射口２１８に連通されている。したがって、チューブ体２０２の管腔２０８、２１０の各々により送られた洗浄液及びガスは、いずれも共通の噴射口２１８から観察窓９４に向けて噴射されるようになっている。
【００８９】
以上の構成により、送気・送液チューブ２００のチューブ体２０２、基端部２０４、及び、先端部２０６の各々を、内視鏡本体４０の管路用溝８６、基端側装着部６４、及び、先端側装着部１１０の各々に装着して、図２、図３のようにチューブ体２０２を内視鏡本体４０に装着することができる。なお、送気・送液チューブ２００のチューブ体２０２、基端部２０４、及び、先端部２０６の各々を内視鏡本体４０に装着する順序は特定の順序に限定されない。
【００９０】
また、送気・送液チューブ２００をディスポーザブルとし、施術に使用した後、送気・送液チューブ２００を内視鏡本体４０から取り外して廃棄する場合であっても送気・送液チューブ２００は成形部品などで安価に製造できるためコストの負担は少ない。また、この場合、硬性内視鏡で必要なレベルの高い洗浄（洗浄及び滅菌）を送気・送液チューブ２００に対して施す必要がないため、その分のコストを低減できる。
【００９１】
更に、送気・送液チューブ２００を再使用する場合であっても、内視鏡本体４０とは別に送気・送液チューブ２００の洗浄を行うことが可能であり、硬性内視鏡において要求されるレベルの高い洗浄を容易且つ確実に行うことができる。
【００９２】
また、上記実施の形態では、例えば、図６に示したように送気・送液チューブ２００のチューブ体２０２に外表面を略円筒面形状に形成した態様を示したが、他の形状であってもよい。例えば、図６と同一又は類似作用の構成要素に同一符号を付した図２０に示すように、送気・送液チューブ２００の外表面を、横方向断面において角を丸めた角丸四角形（略楕円）の形状に形成し、挿入部４４（長筒部８０）の管路用溝８６もそのチューブ体２０２の外表面と程一致する形状及び大きさの内部空間を有するように形成するようにしてもよい。このとき、管路用溝８６の開口の縁部８６Ａ、８６Ｂを、管路用溝８６の深さ方向の中央付近の最大の横幅Ｗ１よりも開口の横幅Ｗ２を狭くする方向に突出させることによって、チューブ体２０２を管路用溝８６から容易に外れないようにすることができる。
【００９３】
次に、図１の硬性内視鏡１０の第２の実施の形態の構成について説明する。第１の実施の形態の硬性内視鏡では、内視鏡本体４０の挿入部４４に形成された管路用溝８６に送気・送液チューブ２００のチューブ体２０２を装着し、チューブ体内の管腔２０８、２１０により送液管路及び送気管路を形成して、観察窓９４を洗浄するための洗浄液及びガスを流通させるようにしたが、第1の実施の形態と同様に挿入部４４に形成された管路用溝８６に、その開口を閉塞する蓋部材を装着して蓋部材と溝の壁面とで観察窓９４を洗浄するための送液管路及び送気管路を形成することも可能である。第２の実施の形態はこの態様を示すものである。図１４は、第2の実施の形態における内視鏡本体４０と、内視鏡本体４０に対して着脱可能に装着される管路形成部材３００とを示した下方斜視図であり、内視鏡本体４０から管路形成部材３００を取り外した状態を示している。なお、内視鏡本体４０は、第1の実施の形態の内視鏡本体４０と略同様の構成要素からなり、同一又は類似作用の構成要素には第１の実施の形態と同一符号を付してその説明を省略する。
【００９４】
同図に示すように、第２の実施の形態の内視鏡本体４０の挿入部４４は、第1の実施の形態の内視鏡本体４０の挿入部４４と同様に構成されており、挿入部４４の長筒部８０及び先端部８２には、第1の実施の形態と同様の管路用溝８６及び先端側装着部１１０が形成されている。
【００９５】
一方、操作部４２には第1の実施の形態の基端側装着部６４は設けられておらず、第１の実施の形態において基端側装着部６４に設けられていた送液管端部７４及び送気管端部７６が枠体５６の前面（前側閉塞部材６０）に設けられ、挿入部４４の管路用溝８６内に突出配置されている。これにより、送気・送液装置１６から枠体５６の後面（後側閉塞部材６２）の送液管端部６６及び送気管端部６８に送入された洗浄液及びガスが、枠体５６の前面の送液管端部７４及び送気管端部７６から管路用溝８６内に送出されるようになっている。
【００９６】
管路形成部材３００は、図１５の管路形成部材３００のみを拡大して示した上方斜視図にも示すように長手状の蓋体３０２と、蓋体３０２の先端に装着された先端部３０４とから構成されている。
【００９７】
蓋体３０２は、例えば柔らかめの樹脂（ポリエチレン、ポリプロピレン、ポリテトラフルオロエチレンなど）で一体形成されており、蓋体３０２の先端から基端までの全体が挿入部４４の管路用溝８６に着脱可能に装着されるようになっている。図１６は、挿入部４４の長筒部８０（パイプ８４）の横断面図であり、管路用溝８６に蓋体３０２が装着されている状態を示している。なお、同図の管路用溝８６は、図２０に示した横方向断面において角丸四角形の形状のものとしているが、図６に示したように横方向断面において円形のものであってもよいし、他の形状であってもよい。
【００９８】
図１６に示すように蓋体３０２は、蓋部３０６、係合部３０８、３０８、及び、分離部３１０とから形成されている。
【００９９】
蓋部３０６は、管路用溝８６の開口部分に配置され、管路用溝８６以外の部分の長筒部８０〔パイプ８４〕の外周面と蓋部３０６の外面とで略円筒面形状の面を形成している。即ち、挿入部４４の外周面が倣う円筒面に略沿った形状の面を蓋部３０６の外面が形成している。
【０１００】
係合部３０８、３０８は、蓋部３０６の両縁部において、管路用溝８６内の側壁面に沿う方向に形成されており、管路用溝８６の側壁面と密着している。これにより、蓋体３０２が管路用溝８６に着脱可能に装着されると共に、管路用溝８６内の壁面と蓋部３０６及び係合部３０８、３０８により囲まれた気密性の高い空洞が形成され、挿入部４４の基端から略先端まで管路用溝８６に管腔が形成される。また、第１の実施の形態と同様に管路用溝８６の開口の縁部が溝幅を狭める方向に突設されることによって蓋体３０２が管路用溝８６から容易に外れないようになっている。
【０１０１】
分離部３１０は、蓋部３０６の中央部分から管路用溝８６の底面の中央部分に向かって形成されており、分離部３１０の先端面が管路用溝８６の底面に密着している。これにより、管路用溝８６に分離部３１０で分離された２つの管腔２０８、２１０が平行に形成される。これらの２つの管腔２０８、２１０は第１の実施の形態のチューブ体２０２内の管腔２０８、２１０と同様に管腔２０８が洗浄液を流通させる送液管路となり、管腔２１０がガスを流通させる送気管路となる。
【０１０２】
なお、図１７は、挿入部４４の長筒部８０の基端近傍における横断面図を示しており、同図に示すように管路用溝８６に蓋体３０２が装着されて形成された２つの管腔２０８、２１０には、内視鏡本体４０における操作部４２の枠体５６の前面（前側閉塞部材６０）に突設された送液管端部７４と送気管端部７６の各々が送入配置された状態となっている。これによって、図１の送気・送液装置１６から供給されて送液管端部７４及び送気管端部７６から送出された洗浄液及びガスが各々、管路用溝８６と蓋体３０２により形成された管腔２０８、２１０に送入され、管腔２０８、２１０を流れるようになっている。
【０１０３】
また、本実施の形態で形成される管腔２０８、２１０は、それらを形成する管壁の一部が管路用溝８６の壁面の一部により形成されるため、第１の実施の形態のようにチューブ体２０２によって管腔２０８、２１０を形成する場合よりも断面積が大きくなり、洗浄液及びガスが流通し易くなっている。
【０１０４】
蓋体３０２の先端に接続される先端部３０４は、図１５に示すように第１の実施の形態における送気・送液チューブ２００の先端部２０６と略一致する構造であり、第１の実施の形態と同様に構成された挿入部４４の先端側装着部１１０（図１３参照）に着脱可能に装着されるようになっている。図１８は、管路形成部材３００の先端部３０４を挿入部４４の先端側装着部１１０に装着した状態での縦断面図を示す。なお、図８に示した第1の実施の形態の縦断面図に示されている構成部材と同一又は類似作用の構成部材には図８と同一符号を付している。同図に示すように、管路形成部材３００の先端部３０４が、挿入部４４の先端側装着部１１０に装着されると、挿入部４４の先端面９２に先端部３０４により形成される噴射ノズル１１２が配置され、その噴射口２１８が観察窓９４に向けて配置される。
【０１０５】
また、先端部３０４の基端嵌合部２２２から突設された２つの先端嵌合部２２４、２２６は各々、分離部３１０により分離された２つの管腔２０８、２１０に嵌入配置された状態となっており、管腔２０８、２１０を流れた洗浄液及びガスが、先端部３０４の噴射口２１８から観察窓９４に向けて噴射されるようになっている。
【０１０６】
以上の構成により、管路形成部材３００の蓋体３０２、及び、先端部３０４の各々を、内視鏡本体４０の管路用溝８６、及び、先端側装着部１１０の各々に装着して、管路形成部材３００を内視鏡本体４０に装着することができる。
【０１０７】
また、管路形成部材３００をディスポーザブルとし、施術に使用した後、管路形成部材３００を内視鏡本体４０から取り外して廃棄する場合であっても管路形成部材３００は成形部品などで安価に製造できるためコストの負担は少ない。また、この場合、硬性内視鏡で必要なレベルの高い洗浄を管路形成部材３００に対して施す必要がないため、その分のコストを低減できる。
【０１０８】
更に、管路形成部材３００を再使用する場合であっても、内視鏡本体４０とは別に管路形成部材３００の洗浄を行うことが可能であり、硬性内視鏡において要求されるレベルの高い洗浄を容易且つ確実に行うことができる。
【０１０９】
なお、管路形成部材３００の蓋体３０２は、硬い樹脂や金属で形成してもよく、また、管路用溝８６に装着した際に管路用溝８６の壁面（パイプ８４）に接触する箇所、例えば、図１９に示すように蓋体３０２の係合部３０８、３０８の端縁３０８Ａ、３０８Ａ、及び、分離部３１０の縁部３１０Ａにゴムを一体成型して水密性、気密性を高めるようにしてもよい。また、蓋体３０２の基端は、操作部４２（前側閉塞部材６０）の前面に密着させることが望ましく、蓋体３０２の基端にもゴムを一体成形するようにしてもよいし、操作部４２の前面側にゴムパッキンを取り付けてもよい。
【０１１０】
また、上記第１の実施の形態では、送気・送液チューブ２００のチューブ体２０２の分離部２１２により２つの管腔２０８及び管腔２１０を形成し、第２の実施の形態では、管路形成部材３００の蓋体３０２の分離部３１０により２つの管腔２０８及び管腔２１０を形成し、洗浄液とガスを別々の管腔により流通させるようにしたが、これらの分離部を設けることなく、１つの管腔のみを形成し、洗浄液とガスをその管腔により流通させて噴射ノズル１１２の噴射口２１８から噴射させるようにしてもよいし、洗浄液のみをその管腔により流通させて噴射ノズル１１２の噴射口２１８から噴射させるようにしてもよい。
【符号の説明】
【０１１１】
１０…硬性内視鏡、１２…プロセッサ装置、１４…光源装置、１６…送気・送液装置、１８…モニタ、２０…ユニバーサルコード、２８…送液チューブ、３０…送気チューブ、４０…内視鏡本体、４２…操作部、４４…挿入部、５２…送液ボタン、５４…送気ボタン、５６…枠体、５６Ａ…装着面、５８…枠体本体、６０…前側閉塞部材、６２…後側閉塞部材、６４…基端側装着部、６６…送液管端部、６８…送気管端部、７０…送液管、７２…送気管、７４…送液管端部、７６…送気管端部、８０…長筒部、８２…先端部、８４…パイプ、８６…管路用溝、８８…保持部材、９０…連結部材、９２…先端面、９４…観察窓、９６、９８…照明窓、１００…撮像装置、１１０…先端側装着部、１１２…噴射ノズル、１５０…押さえ板、１６０…チューブ押さえ板、２００…送気・送液チューブ、２０２…チューブ体、２０４…基端部、２０６…先端部、２０８、２１０…管腔、２１１…外壁部、２１２…分離部、２１４、２１６…連結穴、２１８…噴射口、２２０…突条部、２２２…基端嵌合部、２２４、２２６…先端嵌合部、３００…管路形成部材、３０２…蓋体、３０４…先端部、３０６…蓋部、３０８…係合部、３１０…分離部
【図１】
2012187138.tif 000003
【図２】
2012187138.tif 000004
【図３】
2012187138.tif 000005
【図４】
2012187138.tif 000006
【図５】
2012187138.tif 000007
【図６】
2012187138.tif 000008
【図７】
2012187138.tif 000009
【図８】
2012187138.tif 000010
【図９】
2012187138.tif 000011
【図１０】
2012187138.tif 000012
【図１１】
2012187138.tif 000013
【図１２】
2012187138.tif 000014
【図１３】
2012187138.tif 000015
【図１４】
2012187138.tif 000016
【図１５】
2012187138.tif 000017
【図１６】
2012187138.tif 000018
【図１７】
2012187138.tif 000019
【図１８】
2012187138.tif 000020
【図１９】
2012187138.tif 000021
【図２０】
2012187138.tif 000022
【図２１】
2012187138.tif 000023